(57)【要約】【課題】必要最小限の情報を効率的に携帯可能とし情報を手早く閲覧できるようにする。【解決手段】半導体メモリ５を内部に着脱可能に格納する本体部２と、本体部２と略同形状を有し半導体メモリ５から読み出した情報を表示する表示部３とを備え、本体部２と表示部３は、本体部上面２ａと表示部一主面３ａとを対向させてできる対向平面Ａ上を本体部２に対して表示部３が回動する回動軸を有する連結部４によって互いに連結されている。この本体部２は、連結部４が設けられた端部とは別の端部に半導体メモリ５を挿入するための半導体メモリ装着部２１を備える。【選択図】  図１
2004279719.tif 000002
【特許請求の範囲】
【請求項１】
薄板形状の半導体メモリを内部に着脱可能に格納する半導体メモリ装着部を有する平板状本体部と、
上記本体部と略同形状を有し上記半導体メモリに記録されたコンテンツを表示する表示手段を有する平板状表示部と、
上記コンテンツの上記表示手段における表示状態を変更する操作入力のための操作部と、
上記操作部にて行われる表示操作に応じて上記半導体メモリに格納されたコンテンツを上記表示手段における表示状態を変更して表示する制御を行う制御部とを備え、
上記平板状本体部と上記平板状表示部は、
上記平板状本体部上面と上記平板状表示部一主面とを対向させた対向平面上を上記平板状本体部上面と上記平板状表示部一主面とが回動する回動軸を有する連結部にて連結されていることを特徴とする情報表示装置。
【請求項２】
上記制御部は、上記平板状表示部の上記平板状本体部に対する回動角度に応じて上記表示手段におけるコンテンツの表示向きを変更することを特徴とする請求項１記載の情報表示装置。
【請求項３】
上記操作部は、上記連結部に設けられていることを特徴とする請求項１記載の情報表示装置。
【請求項４】
上記コンテンツは、上記半導体メモリを接続可能な情報処理端末において所定のソフトウェアにて管理された情報を含むことを特徴とする請求項１記載の情報表示装置。
【請求項５】
上記コンテンツは、上記半導体メモリを接続可能な情報処理端末においてネットワークを介して入手され、該情報処理端末において選択され上記半導体メモリに格納されたコンテンツであることを特徴とする請求項１記載の情報表示装置。
【請求項６】
上記コンテンツは、上記情報処理端末にて指定された時刻及び指定されたＵＲＬから入手されたコンテンツであることを特徴とする請求項５記載の情報表示装置。
【請求項７】
上記コンテンツは、文字コンテンツであることを特徴とする請求項１記載の情報表示装置。
【請求項８】
半導体メモリを接続可能な情報処理端末にて情報を選択し、この情報を抽出して情報表示装置にて表示する情報選択表示方法において、
上記情報処理端末においてコンテンツの少なくとも一部を選択するコンテンツ選択工程と、
上記選択されたコンテンツを上記情報表示装置にて閲覧する形式にて抽出するコンテンツ抽出工程と、
上記コンテンツ抽出工程にて半導体メモリに抽出したコンテンツを上記情報表示装置にて表示する表示工程と
を有することを特徴とする情報選択表示方法。
【請求項９】
上記コンテンツ選択工程で選択されるコンテンツには、上記情報処理端末にて所定のソフトウェアで管理された情報が含まれることを特徴とする請求項８記載の情報選択表示方法。
【請求項１０】
ネットワークを介してコンテンツを入手するコンテンツ入手工程を有し、
上記コンテンツ選択工程では、上記ネットワークを介して入手されたコンテンツの少なくとも一部が選択され、上記コンテンツ抽出工程にて上記半導体メモリに抽出されることを特徴とする請求項８記載の情報選択表示方法。
【請求項１１】
上記コンテンツ入手工程では、上記情報処理端末にて指定された時刻及び指定されたＵＲＬからコンテンツが取得されることを特徴とする請求項１０記載の情報選択表示方法。
【請求項１２】
上記コンテンツは、文字コンテンツであることを特徴とする請求項８記載の情報選択表示方法。
【発明の詳細な説明】
【０００１】
【発明の属する技術分野】
本発明は、情報表示装置及び情報選択表示方法に関し、特に、情報処理端末にて管理される情報から選択され半導体メモリに抽出した情報を表示する情報表示装置、及びその情報を選択して表示する情報選択表示方法に関する。
【０００２】
【従来の技術】
ＰＤＡ（Ｐｅｒｓｏｎａｌ  Ｄｉｇｉｔａｌ  Ａｓｓｉｓｔａｎｔｓ）のような携帯型情報処理端末の普及、携帯型電話機の高機能化等に伴って、ユーザは、手軽に大量の情報を所有できるようになった。また、携帯型情報処理端末や携帯型電話機といった情報機器は、いわゆるインターネットに接続する機能を備えているため、従来、インターネットに接続可能なＰＣ（多くは据置型）でなくては入手できなかったような情報が何時でも簡単に入手できる情報通信環境が構築されてきている。
【０００３】
上述したＰＤＡや携帯型電話機とともに、小型化・大容量化を実現した半導体メモリも普及している。上記情報機器のほかにもパーソナルコンピュータ、ビデオテープレコーダ、デジタルスチルカメラ等、記録再生を行う各種電子機器の中には、半導体メモリを装着できる機器が増えてきている。このような半導体メモリは、例えば、静止画データ、動画データ、オーディオデータ（音楽データ）といった複数種類のフォーマットのデータを混在して記録することができる。そのため、ユーザは、このような記録媒体を用いることによって、異なるフォーマットのデータを扱う複数の電子機器のそれぞれに対応する記録媒体を用いる必要がなく、１つの記録媒体を各電子機器間で相互利用することができる。近年、半導体メモリは、さらに大容量化が進んでおり、４メガバイト〜１ギガバイトが市販され、さらに１ギガバイトを超える大容量の半導体メモリも開発されている。
【０００４】
このように、上記情報機器は、半導体メモリとの組み合わせによって機器自体の機能性が高められ、半導体メモリを介せば、機器間にて専用のインターフェイスを持たずとも大容量のデータ交換も可能になる。
【０００５】
【発明が解決しようとする課題】
ところが、情報機器の数ある機能の中で、実際にユーザから求められる機能は、スケジュールや最新情報を流し視るように手早く確認することであったり、必要となったときに電子メールアドレスや電話番号といった相手連絡先を即時検索することであったりする。
【０００６】
ＰＤＡや携帯型電話機は、高機能化され、その性能も年々向上しているが、機器を立ち上げ、ソフトを立ち上げて・・・というように、ＰＣと同様の手順を踏まなくては、ユーザが所望とする情報に到達できない場合があり、必要な情報を効率的に閲覧することを考えると、手早く情報が欲しいときなどには不便であった。また、機器の操作に着目してみても、満員電車等の狭い場所や一方の手が塞がっているような状況では、情報を閲覧しようにも情報処理端末の操作自体ができない環境もある。
【０００７】
そこで本発明は、このような従来の実情に鑑みて提案されたものであり、必要最小限の情報を効率的に携帯可能とし、情報を手早く閲覧できるようにする情報表示装置及び、サイトから情報を選択して取得し、取得した情報を効率的に表示する情報選択表示方法を提供することを目的とする。
【０００８】
【課題を解決するための手段】
上述した目的を達成するために、本発明に係る情報表示装置は、薄板形状の半導体メモリを内部に着脱可能に格納する半導体メモリ装着部を有する平板状本体部と、本体部と略同形状を有し半導体メモリに記録されたコンテンツを表示する表示手段を有する平板状表示部と、コンテンツの表示手段における表示状態を変更する操作入力のための操作部と、操作部にて行われる表示操作に応じて半導体メモリに格納されたコンテンツを表示手段における表示状態を変更して表示する制御を行う制御部とを備え、平板状本体部と平板状表示部は、平板状本体部上面と平板状表示部一主面とを対向させた対向平面上を平板状本体部上面と平板状表示部一主面とが回動する回動軸を有する連結部にて連結されていることを特徴とする。
【０００９】
ここで、制御部は、平板状表示部の平板状本体部に対する回動角度に応じて表示手段におけるコンテンツの表示向きを変更することができる。コンテンツは、半導体メモリを接続可能な情報処理端末において所定のソフトウェアにて管理された情報を含む。若しくは、コンテンツは、半導体メモリを接続可能な情報処理端末においてネットワークを介して入手され、該情報処理端末において選択され半導体メモリに格納されたコンテンツである。また、コンテンツは、情報処理端末にて指定された時刻及び指定されたＵＲＬから入手されることを特徴とする。
【００１０】
コンテンツは、特に文字コンテンツである。
【００１１】
また、上述した目的を達成するために、本発明に係る情報選択表示方法は、半導体メモリを接続可能な情報処理端末にて情報を選択し、この情報を抽出して情報表示装置にて表示する情報選択表示方法において、情報処理端末においてコンテンツの少なくとも一部を選択するコンテンツ選択工程と、選択されたコンテンツを情報表示装置にて閲覧する形式にて抽出するコンテンツ抽出工程と、コンテンツ抽出工程にて半導体メモリに抽出したコンテンツを情報表示装置にて表示する表示工程とを有する。
【００１２】
ここで、コンテンツ選択工程で選択されるコンテンツには、情報処理端末にて所定のソフトウェアで管理された情報が含まれる。若しくは、ネットワークを介してコンテンツを入手するコンテンツ入手工程を有し、コンテンツ選択工程では、ネットワークを介して入手されたコンテンツの少なくとも一部が選択され、コンテンツ抽出工程にて半導体メモリに抽出される。
【００１３】
また、コンテンツ入手工程では、情報処理端末にて指定された時刻及び指定されたＵＲＬからコンテンツが取得される。
【００１４】
コンテンツは、特に文字コンテンツである。
【００１５】
【発明の実施の形態】
本発明は、必要最小限の情報を効率的に携帯可能とし、情報を手早く閲覧できるようにする情報表示装置である。従来、ＰＤＡや携帯型ＰＣといった携帯型情報処理端末は、高性能の据置型ＰＣに比べ、個人のスケジュール管理、電子メール管理が主な利用目的となるが、この用途は、据置型ＰＣの持てる機能からすると非常に限定的である。具体例にて説明する情報表示装置１は、情報処理端末の必要最小限の機能である「情報の閲覧」を充実させて、表示できる情報量を限定し必要最小限の情報をメモリから読み込んで表示することで、携帯性、操作性、利便性向上を実現した装置である。そのため、情報表示装置１は、情報データを半導体メモリから入力して表示できる機能のみを備えていればよい。
【００１６】
以下、本発明の具体例について図面を参照して詳細に説明する。
【００１７】
本発明の具体例として図１に示す情報表示装置１は、半導体メモリ５を内部に着脱可能に格納する本体部２と、本体部２と略同形状を有し半導体メモリ５から読み出した情報を表示する表示部３とを備え、本体部２と表示部３は、本体部上面２ａと表示部一主面３ａとを対向させてできる対向平面Ａ上を本体部２に対して表示部３が回動する回動軸を有する連結部４によって互いに連結されている。
【００１８】
本具体例では、半導体メモリ５として、図４（Ａ）及び図４（Ｂ）に示す外観を呈する薄板型矩形状の半導体メモリ５を用いる。この半導体メモリ５の詳細は後述する。この本体部２は、連結部４が設けられた端部とは別の端部に半導体メモリ５を挿入するための半導体メモリ装着部２１を備えている。
【００１９】
半導体メモリ装着部２１は、本体部２の連結部４が設けられる端とは反対の端部に、半導体メモリ５の縦寸法、横寸法、厚さ寸法と略同サイズの寸法を有する凹部として設けられている。この凹部底面には、半導体メモリとの接続端子が設けられており、半導体メモリ５が半導体メモリ装着部２１に装着されると、半導体メモリ５と電気的に接続されるようになっている。また、本体部２は、図１に示すように、半導体メモリ５の各寸法よりも若干大のサイズを有する外部形状になっている。
【００２０】
表示部３は、本体部２と略同形状を有し、縦寸法横寸法ともに略同サイズとされ、本体部上面２ａと対向する表示部主面３ａの反対面（３ｂ）に表示画面３１を備えている。以後、表示画面３１が設けられた面３ｂ及び本体部上面２ａを正面（又は使用面）とする。表示部３の表示画面３１は、低消費電力、小型軽量化等を考慮して、テキストデータであれば４〜５ライン分程度表示できる白黒ＬＣＤ（Ｌｉｑｕｉｄ  Ｃｒｙｓｔａｌ  Ｄｉｓｐｌａｙ）パネルである。
【００２１】
また、本体部２と表示部３とを連結する連結部４上には、この情報処理装置１の操作を行うための操作入力部４１が設けられている。この操作入力部４１は、図１に示すように回動軸に合わせた円形とされ、操作入力部４１の中央部に押下を検出する押下ボタン４２が備えられ、その外縁部が上（位置４３ａ）、下（位置４３ｂ）、左（位置４３ｃ）、右（位置４３ｄ）の十字位置で押圧を検出可能な方向ボタン４３になっている。
【００２２】
この情報表示装置１の本体部２に対する表示部３の回動は、図１に矢印Ｒ１、Ｒ２、Ｒ３、Ｒ４として示す。表示部３は、本体部２に重ねられた状態を基準状態（又は未使用状態）としたとき、矢印Ｒ１方向、矢印Ｒ４方向何れの向きにも回動できる。この情報表示装置１は、基準状態にて半導体メモリ５の、いわゆるメディアサイズになっており、このような構造を有する情報表示装置１は、ユーザが手のひらに納めて本体部２と表示部３とを扇子様にずらし拡げて片手で使用できる。ここで情報表示装置１は、図１に示すように、ストラップ６を備えていてもよい。これにより、携帯性及び利便性が向上する。
【００２３】
続いて、図２を用いて情報表示装置１の内部構成を説明する。
【００２４】
情報表示装置１の本体部２は、半導体メモリ装着部２１に装着された外部記憶装置である半導体メモリ５からコンテンツデータを入力するインターフェイス部２２と、入力したデータを一時的に格納する内部メモリ２３と、この情報表示装置１の動作を統括制御するＣＰＵ（Ｃｅｎｔｒａｌ  Ｐｒｏｃｅｓｓｉｎｇ  Ｕｎｉｔ）２４とを備え、これらが内部バス２５にて接続されている。また、情報表示装置１は、ユーザからの操作を受け付けるための押下ボタン４２と方向ボタン４３を有する操作入力部４１を備えている。操作入力部４１及び表示部２もまた内部バス２５に接続されている。
【００２５】
内部メモリ２３は、インターフェイス部２２を介して半導体メモリ５より入力したデータの一時格納領域であるとともに、ＣＰＵ２４の作業領域として使用される。
【００２６】
ＣＰＵ２４は、操作入力部４１にて入力されたユーザから指示に応じて半導体メモリ５からコンテンツデータを選択して読み出す処理、読み出したコンテンツデータを表示画面３１へ表示する処理、表示画面３１に表示されたコンテンツデータの表示形態を変更する処理等を実行する。
【００２７】
ＣＰＵ２４にて変更されるコンテンツの表示形態の一例としては、表示部３の本体部２に対する回動角度に応じて表示画面３１におけるコンテンツ表示を縦表示にするか横表示にするかを変更する方法が挙げられる。
【００２８】
すなわち、表示部３が本体部２に対して、図１における基準状態から矢印Ｒ１方向へ９０°回動した位置Ｐ１にあるとき、表示画面３１の長辺方向を「行」とする横表示にてコンテンツを表示し、位置Ｐ１から矢印Ｒ２方向へさらに９０°回動した位置Ｐ２にあるとき、表示画面３１の長辺方向を「行」とする縦表示にてコンテンツを表示する方法である。位置Ｐ３にあるときは、位置Ｐ１と同様、表示画面３１の長辺方向を「行」とする横表示になる。
【００２９】
また、表示部３を回転した場合は、表示部の回転と逆向きに表示部の回転量と同じだけ、表示されたコンテンツの表示方向を回転させる。例えば、表示部３を時計回り方向に４５°回転した場合は、表示部３における表示を反時計回りに４５°回転する。これによって、表示部３を回転してもユーザに相対する表示向きは、変更されない。
【００３０】
さらに、ＣＰＵ２４は、表示形態の違いに応じて、方向ボタン４３の選択割り当てを変更する処理を行っている。具体的には、表示部３が本体部２に対して図１における基準状態から矢印Ｒ１方向へ回動した位置Ｐ１にあるとき、操作入力部４１にて方向ボタン４３の位置４３ｂが押下されれば表示画面３１の短辺方向（この表示状態の縦方向）にカーソルを移動する、或いは表示されたコンテンツをスクロールする処理を実行する。また、方向ボタン４３の位置４３ｄが押下されると表示画面３１の長辺方向（この状態の横方向）にカーソルを移動する、或いは表示されたコンテンツをスクロールする処理を実行する。
【００３１】
表示部３が本体部２に対して図１における位置Ｐ１からさらに矢印Ｒ２方向へ回動した位置Ｐ２にあるとき、操作入力部４１にて方向ボタン４３の位置４３ｂが押下されれば表示画面３１の長辺方向（この表示状態の縦方向）にカーソルを移動する、或いは表示コンテンツをスクロールする処理を実行する。また、表示部３が本体部２に対して同様の状態にあるとき、方向ボタン４３の位置４３ｄが押下されると表示画面３１の短辺方向（この状態の右方向）にカーソルを移動する、或いは表示コンテンツをスクロールする処理を実行する。
【００３２】
表示部３の表示画面３１は、上述したようにＣＰＵ２４に制御されて、半導体メモリ５から読み出されたテキストデータ、画像データといったコンテンツデータ（情報）を、図示しない表示処理回路にて表示処理を施した後、表示する。
【００３３】
以上のような情報表示装置１によれば、ユーザは、半導体メモリ５に必要な情報を格納して情報表示装置１にて簡単に持ち歩くことができ、簡単に情報の閲覧ができる。また、情報表示装置１の表示画面は、従来のＰＤＡ等に比べて表示できる情報量を制限し、装置外装を上述した構造とすることでコンテンツの表示選択操作も、ボタンの押下によるワンプッシュ式にて行えるため、半導体メモリ５に格納された情報を閲覧する操作が容易にできるという利点がある。
【００３４】
上述した情報表示装置１にて表示できるコンテンツは、半導体メモリ５を接続可能なＰＣ等の情報処理端末にて入手されたコンテンツ、或いは情報処理端末にて管理される情報の一部であって、この情報処理端末にて選択され抽出されたコンテンツであることが前提となる。
【００３５】
上述した情報表示装置１にてコンテンツを効率的に閲覧可能にする方法の１つとしては、半導体メモリ５を装着可能なＰＣ上にて起動されるユーティリティソフトによって、コンテンツの選択及び抽出、半導体メモリ５へのコンテンツの格納処理を実行することが挙げられる。
【００３６】
以下、図３を用いて、ＰＣにて実行されるコンテンツの選択及び抽出、並びに半導体メモリ５へのコンテンツの格納処理について説明する。この処理は、ＰＣにて起動されるユーティリティソフトにて実行できる。例えば、デスクトップにクリップフォルダを設け、半導体メモリ５への抽出処理プログラムをユーティリティソフトとして常に起動する。但し、以下の説明にてＰＣは、Ｗｉｎｄｏｗｓ（登録商標）をＯＳとする。
【００３７】
図３には、ＰＣの画面１００にウェブサイトのウィンドウ１０１が表示されている様子が示されている。ユーザによって画面１００上のマウスポインタ１０２が移動され、マウスの操作によって領域Ｓが選択範囲として指定され、マウスのクリック操作によってツールボタン１０３が表示される。
【００３８】
ユーザが、ツールボタン１０３に表示される「切り取り（ボタン１０３ａ）」、「コピー（ボタン１０３ｂ）」等のＧＵＩボタンの中から「メモリに抽出（ボタン１０３ｃ）」を選択すると、ウィンドウ１０１上の領域Ｓのテキストデータが半導体メモリ５に抽出される。抽出されるコンテンツは、主として文字コンテンツであるが、例えば、選択領域に地図ファイルや写真等、ＪＰＥＧ（Ｊｏｉｎｔ  Ｐｈｏｔｏｇｒａｐｈｉｃ  Ｃｏｄｉｎｇ  Ｅｘｐｅｒｔ  Ｇｒｏｕｐ）形式に準拠した画像データが含まれる場合、二値画像に変換されて半導体メモリ５に抽出される。
【００３９】
ここで、抽出されるコンテンツは、上述のようにユーザがＰＣ上にてマウス操作で選択するほかソフトウェア上の各種設定によって自動的に抽出することもできる。例えば、フォントフィルタ機能を用いれば、対象のウェブサイトから文字コンテンツの主要部分或いは先頭部分を選択して抽出することができる。
【００４０】
また、ＰＣにて指定された時刻に指定されたＵＲＬからコンテンツを抽出することもできる。さらに、この機能とフォントフィルタとを併用すれば、指定された時刻に指定されたＵＲＬから指定された条件の文字コンテンツを抽出できる。
【００４１】
また、ウェブ上から選択されたコンテンツのみならず、ＰＣにて管理される電子メールやスケジュールの中から情報を抽出することもできる。例えば、ＰＣにて起動されるメーラソフトやスケジュール管理ソフトウェアと連動して、受信した電子メールのうち未開封メールのテキストデータを自動的に半導体メモリ５に抽出したり、管理される個人のアドレス情報を抽出したりできる。また、スケジュール管理ソフトにて新しい要件が追加された場合、この情報を抽出することができる。
【００４２】
また、ＰＣにて半導体メモリ５に格納するコンテンツを抽出するだけでなく、ウェブサイトにて予め、情報表示装置１にて閲覧可能な専用コンテンツを提供してもよい。ＰＣでの選択操作によってサイト内のアイコン等がクリックされると、専用コンテンツが情報表示装置１にて閲覧可能な形式で半導体メモリ５にダウンロードされる。専用コンテンツとしては、例えば、情報表示装置１での操作によって英単語と日本語訳とが交互に表示され単語学習帳のように使用できる学習用コンテンツ、小説、或いはニュース記事が挙げられる。
【００４３】
したがって、コンテンツの選択及び抽出、並びに半導体メモリ５へのコンテンツの格納処理をこのように実行することによって、情報表示装置１にて表示されるコンテンツを予め用意でき、情報表示装置１にてコンテンツを効率的に閲覧可能にする。
【００４４】
本具体例にて使用する半導体メモリ５には、例えば図４（Ａ）及び図４（Ｂ）に示すような外観を呈するメモリ装置が適用できる。この半導体メモリ５は、例えば、縦寸法５０ｍｍ、横寸法２１．５ｍｍ、厚さ寸法２．８ｍｍの筐体２０１を備えるとともに、外部の電子機器に装着された場合におけるシリアルバスの状態を示すバスステート、各種データ及びクロック等が入出力される１０ピンの端子２０２を備える。また、半導体メモリ５は、記録されているデータの誤消去を防止するための誤消去防止スイッチ２０３を備える。
【００４５】
また、半導体メモリ５は、例えば、図５に示すように、装着された電子機器からの各種データ等を記憶する数メガバイト乃至数十メガバイトの記憶容量を有するフラッシュメモリ２０４と、このフラッシュメモリ２０４の内容の管理等を行うメモリコントローラ２０５と、電子機器と接続され各種データ等の入出力を行うインタフェフェース部２０６とを備える。
【００４６】
このような半導体メモリ５は、１０ピンの端子２０２のうち、データ、クロック及びバスステート用の３ピンの端子のみを用いて、電子機器との間でこれらのデータ、クロック及びバスステートの送受信を行う。ここで、クロック及びバスステートは、電子機器から供給され、データは、双方向の半２重転送により外部機器との間で送受信される。半導体メモリ５は、データとして制御パケットを電子機器との間で送受信する場合には、例えばクロックの最大周波数を２０ＭＨｚとし、５１２バイト単位を基本としたエラーチェックコードを付加して転送を行う。
【００４７】
半導体メモリ５は、メモリコントローラ２０５によって、シリアルインターフェースのプロトコルにしたがって処理を行い、フラッシュメモリ２０４を制御する。
【００４８】
具体的には、半導体メモリ５は、例えばフラッシュメモリ２０４が複数のフラッシュメモリからなる場合には、メモリコントローラ２０５によって、各フラッシュメモリを制御する。また、半導体メモリ５は、例えばフラッシュメモリ２０４が種類が異なる複数のフラッシュメモリからなる場合には、メモリコントローラ２０５によって、各種フラッシュメモリの特性差を吸収して各フラッシュメモリを制御するとともに、各種フラッシュメモリのエラー特性に応じたエラー訂正処理を行う。さらに、半導体メモリ５は、メモリコントローラ２０５によって、パラレルデータをシリアルデータに変換する処理を行う。
【００４９】
半導体メモリ５は、このようなメモリコントローラ２０５によりシリアルインターフェースのプロトコルに準じた処理を行うことで、現在存在しているいかなるフラッシュメモリであっても、または、将来登場するいかなるフラッシュメモリであっても対応可能となる。
【００５０】
また、半導体メモリ５は、フラッシュメモリ２０４のファイル管理の方式として、例えばパーソナルコンピュータに標準的に搭載されているＦＡＴ（Ｆｉｌｅ  Ａｌｌｏｃａｔｉｏｎ  Ｔａｂｌｅ）による階層ファイルシステムを用いる。半導体メモリ５は、ＦＡＴによる階層ファイルシステムに基づいて、例えば、静止画データ、動画データ、オーディオデータ（音楽データ）、ボイスデータ（音声データ）といった複数種類のフォーマットのデータをフラッシュメモリ２０４に格納し、メモリコントローラ２０５によって、フラッシュメモリ２０４の内容を制御する。半導体メモリ５は、データのフォーマットごとに、フラッシュメモリ２０４にデータを記録する際のファイルフォーマット及びディレクトリ管理方式を予め規定しており、この規定にしたがって、フラッシュメモリ２０４に記録されるデータを管理する。
【００５１】
具体的には、フラッシュメモリ２０４におけるルートディレクトリには、図６に示すように、半導体メモリ５の種類を示すファイルである“ＭＥＭ＊＊＊＊＊．ｉｎｄ”と、静止画ファイルを格納するディレクトリである“ＤＣＩＭ”と、オーディオファイルを格納するディレクトリである“ＨＩＦＩ”と、ボイスファイルを格納するディレクトリである“ＶＯＩＣＥ”と、コントロール情報ファイル等の付加情報ファイルを格納するディレクトリである“ＣＯＮＴＲＯＬ”と、ベンダ固有の情報を格納するディレクトリである“ＭＳ＊＊＊＊＊＊”とが記録される。
【００５２】
この半導体メモリ５は、静止画データのフォーマットとしてＪＥＩＤＡ（日本電子工業振興協会）で規格化されているＤＣＦ（Ｄｅｓｉｇｎ  ｒｕｌｅ  ｆｏｒ  Ｃａｍｅｒａ  Ｆｉｌｅ  ｓｙｓｔｅｍ）を採用し、オーディオデータのフォーマットとしてＩＴＵ−Ｔ（国際電気通信連合）勧告Ｇ．７２６のＡＤＰＣＭ（Ａｄａｐｔｉｖｅ  Ｄｉｆｆｅｒｅｎｃｉａｌ  Ｐｕｌｕｓｅ  Ｃｏｄｅ  Ｍｏｄｕｌａｔｉｏｎ）を採用している。
【００５３】
このような半導体メモリ５を外部記憶装置として用いることによって、使用者は、１つの半導体メモリ５を相互利用すれば、異なるフォーマットのデータを扱う複数の電子機器間で共通の接続インターフェイスを用意する必要がない。
【００５４】
なお、本発明は、上述した具体例のみに限定されるものではなく、本発明の要旨を逸脱しない範囲で種々の変更が可能である。
【００５５】
例えば、情報表示装置１は、本体部上面２ａと対向する主面３ａ側に表示画面３１が設けられていてもよい。表示画面３１を表示部主面３ａに設けることによって、本体部２と表示部３とが重ねられているとき（未使用状態時）に表示画面３１を保護できる。また、このほかに、情報処理装置１は、電源のオンオフやバッテリ量等を示すＬＥＤや、動作状態を表したりエラーを警告するアラーム等を備えていてもよい。
【００５６】
【発明の効果】
以上詳細に説明したように、本発明に係る情報表示装置は、半導体メモリ装着部を有する平板状本体部とコンテンツが表示される平板状表示部を、平板状本体部上面と平板状表示部一主面とを対向させた対向平面上を回動する回動軸を有する連結部にて連結することによって、ユーザは、半導体メモリに必要な情報を格納して情報表示装置にて簡単に持ち歩くことができ、情報の閲覧が簡易に行える。
【００５７】
ここで、制御部は、平板状表示部の平板状本体部に対する回動角度に応じて表示手段におけるコンテンツの表示向きを変更することにより、利便性が向上し、ユーザが扱いやすく選択操作も簡易になる。
【００５８】
また、本発明に係る情報選択表示方法は、半導体メモリを接続可能な情報処理端末にて情報を選択し、この情報を抽出して情報表示装置にて表示する情報選択表示方法において、情報処理端末においてコンテンツの少なくとも一部を選択し、選択されたコンテンツ上記情報表示装置にて閲覧する形式にて抽出することにより、ユーザは、半導体メモリに必要な情報を格納して情報表示装置にて簡単に持ち歩くことができ情報の閲覧が簡易に行える。
【図面の簡単な説明】
【図１】本発明の具体例として示す情報表示装置の外観を説明する外観正面図である。
【図２】上記情報表示装置の内部構成を説明するブロック図である。
【図３】ＰＣの画面に表示されるウェブサイトから上記情報表示装置にて閲覧するコンテンツを抽出する様子を説明する模式図である。
【図４】本具体例にて使用する半導体メモリを説明する外観図である。
【図５】上記情報表示装置に装着する半導体メモリの内部構成を説明するブロック図である。
【図６】上記半導体メモリのディレクトリ構造を説明する図である。
【符号の説明】
１  情報表示装置、２  本体部、３  表示部、４  連結部、５  半導体メモリ、２１  半導体メモリ装着部、２２  インターフェイス部、２３  内部メモリ、２４  ＣＰＵ、３１  表示画面、４１ａ  押下ボタン、４１ｂ  方向ボタン、
【図１】
2004279719.tif 000003
【図２】
2004279719.tif 000004
【図３】
2004279719.tif 000005
【図４】
2004279719.tif 000006
【図５】
2004279719.tif 000007
【図６】
2004279719.tif 000008